(57)【特許請求の範囲】
【請求項１】
一面に設けられた開口部を有する枠部材と、
前記枠部材の前記一面と略平行な第１の方向において、前記開口部を覆う第１の位置と前記開口部を露出させる第２の位置との間で直線的に移動が可能な蓋体と、
前記蓋体を前記第１の方向に付勢する第１の弾性部材と、を備える蓋体構造であって、
前記枠部材の前記一面と略平行な方向であり且つ前記第１の方向と直交する第２の方向に、前記蓋体における前記第１の方向と平行な一側面において前記蓋体を付勢する第２の弾性部材と、
前記第１の方向と第２の方向とに直交する第３の方向に、前記蓋体の前記一側面と対向する別の一側面において前記蓋体を付勢する第３の弾性部材と、を更に備えることを特徴とする蓋体構造。
【請求項２】
前記第１の弾性部材は、前記蓋体が前記第１の位置にあるときは前記開口部を覆う方向に前記蓋体を付勢し、前記蓋体が前記第２の位置にあるときは前記開口部を露出させる方向に前記蓋体を付勢するトーションバネであり、
前記第２の弾性部材及び前記第３の弾性部材は、押圧により圧縮するスポンジ部材であることを特徴とする請求項１記載の蓋体構造。
【請求項３】
前記第２の弾性部材と前記第３の弾性部材の少なくとも一方は、略Ｌ字状に折り曲げられていることを特徴とする請求項２記載の蓋体構造。
【請求項４】
前記開口部の内側に配置され、前記枠部材が装着される筐体に対して着脱可能な記憶媒体を保持する保持部材を更に備え、
前記蓋体は、厚さによって光透過率が変化する材料で成形され、前記蓋体が前記第１の位置にあるときに前記保持部材に保持された前記記憶媒体が前記蓋体に投影される範囲の少なくとも一部が前記蓋体のその他の部位よりも薄肉に形成された薄肉部を有することを特徴とする請求項１乃至３のいずれか１項に記載の蓋体構造。
【請求項５】
前記記憶媒体は、前記蓋体における前記記憶媒体に臨む面の少なくとも一部に近接するように前記保持部材に保持されることを特徴とする請求項４記載の蓋体構造。
【請求項６】
前記蓋体は、前記枠部材の前記一面に略平行な方向に直線的に移動が可能であり、
前記記憶媒体は、前記保持部材に着脱可能なカード状の記憶媒体であり、
前記薄肉部は、前記蓋体において前記記憶媒体に臨む面の反対側の面に設けられることを特徴とする請求項４又は５記載の蓋体構造。
【発明の詳細な説明】
【技術分野】
【０００１】
本発明は、電子機器等に用いられる蓋体構造に関し、より詳しくは、記憶媒体等の着脱可能な部材を保持するために設けられる保持部等を覆う蓋体の付勢構造及び蓋体自体の構造に関する。
【背景技術】
【０００２】
従来より、電子機器として、電子機器に対して着脱可能な記憶媒体やバッテリー等を保持するスロット等の保持部を有するものが広く知られている。このような保持部は、防塵を目的として、また、意匠性を高めるために、蓋部材（蓋体）を用いて覆い隠されることが多い。
【０００３】
蓋体は、保持部に対して操作を行わない場合は保持部を外から覆い隠し、保持部に対して操作を行う場合には保持部が外に露出するように、電子機器の本体に対して蓋体がスライド可能又は着脱可能な構成となっているのが一般的である。
【０００４】
具体的に、電子機器に用いられる蓋構造として、例えば、カメラ筐体に設けられたコネクタ端子を覆う端子カバー構造が提案されている（例えば、特許文献１参照）。この特許文献１に開示された端子カバー構造では、端子カバーはカメラ筐体に対して一方向にスライド可能となっている。端子カバーを一方の向きにスライドさせるとコネクタ端子部は端子カバーで覆われ、他方の向きにスライドさせるとコネクタ端子部が露出した状態となる。また、端子カバーは、トグルバネによってスライド方向に付勢されており、端子カバーを閉じたときには閉じ方向へ、端子カバーを開いたときには開き方向へ、それぞれ付勢される構成となっている。
【先行技術文献】
【特許文献】
【０００５】
【特許文献１】特開２００８−２６３４９６号公報
【発明の概要】
【発明が解決しようとする課題】
【０００６】
しかしながら、上述した蓋体及び蓋構造には、以下のような問題がある。すなわち、蓋体がスライド自在に構成された蓋構造では、蓋閉状態と蓋開状態の両状態でスライド方向へとトグルバネによって付勢されている。このスライド方向をＸ方向とすると、蓋体は、スライド方向と直交する方向（Ｙ方向）と、Ｘ方向及びＹ方向に直交する方向（Ｚ方向）への付勢はされていないため、Ｙ方向及びＺ方向にそれぞれガタを持った状態となる。
【０００７】
このガタは、蓋閉状態でユーザが蓋体に触れたときに、蓋体がＹ方向及び／又はＺ方向に動いてしまったり、カメラ筐体からの振動が蓋体に伝播することによって蓋体が振動したりする等の原因となる。また、例えば、蓋体の閉状態が検知スイッチによって検知されている場合、蓋がＹ方向及び／又はＺ方向にガタの分だけ動いてしまうことによって、誤検知が起きる虞がある。更に、カメラ筐体から蓋体に伝播した振動がスピーカの駆動による振動である場合、蓋体からビビリ音が発生してしまう等の問題が生じる虞がある。
【０００８】
本発明は、蓋体のガタを無くした蓋体構造を提供することを目的とする。
【課題を解決するための手段】
【０００９】
上記課題を解決するため、本発明に係る蓋体構造は、一面に設けられた開口部を有する枠部材と、前記枠部材の前記一面と略平行な第１の方向において、前記開口部を覆う第１の位置と前記開口部を露出させる第２の位置との間で直線的に移動が可能な蓋体と、前記蓋体を前記第１の方向に付勢する第１の弾性部材と、を備える蓋体構造であって、前記枠部材の前記一面と略平行な方向であり且つ前記第１の方向と直交する第２の方向に、前記蓋体における前記第１の方向と平行な一側面において前記蓋体を付勢する第２の弾性部材と、前記第１の方向と第２の方向とに直交する第３の方向に、前記蓋体の前記一側面と対向する別の一側面において前記蓋体を付勢する第３の弾性部材と、を更に備えることを特徴とする。
【発明の効果】
【００１０】
本発明に係る蓋体構造によれば、簡単な構成によって、Ｘ方向、Ｙ方向及びＺ方向の３方向から蓋体を付勢するため、各方向でのガタの発生を抑制することができ、しかも、蓋体への振動の伝播を防止することも可能になる。
【図面の簡単な説明】
【００１１】
【図１】本発明の実施形態に係る撮像装置の斜視図である。
【図２】本発明の実施形態に係る撮像装置の別の斜視図である。
【図３】撮像装置が備える蓋構造における蓋閉状態を示す正面図である。
【図４】撮像装置が備える蓋構造における蓋開状態を示す正面図である。
【図５】（ａ）はカード蓋の詳細な構造を示す斜視図であり、（ｂ）は斜視図（ａ）中の部位Ｍの拡大斜視図であり、（ｃ）は斜視図（ａ）中の部位Ｎの拡大斜視図である。
【図６】カード蓋が閉位置にあるときのカード蓋回りの構造を示す斜視図である。
【図７】カード蓋が閉位置にあるときのカード蓋回りの構造を示す正面図である。
【図８】カード蓋が閉位置にあるときのカード蓋回りの構造をカード蓋の裏面側から見たときの斜視図である。
【図９】（ａ）カード蓋が閉位置にあるときのカード蓋回りの正面図、（ｂ）は正面図（ａ）中のα−α断面図、（ｃ）はα−α断面図（ｂ）における領域βの拡大断面図、（ｄ）はα−α断面図（ｂ）における領域γの拡大断面図である。
【図１０】カード蓋が開位置にあるときのカード蓋回りの構造を示す正面図である。
【図１１】カード蓋が閉位置にあるときのカード蓋回りの構造を、外装カバーを透かした状態で示す正面図である。
【図１２】外装カバー回りの構造を外装カバーの裏面側から見た斜視図である。
【図１３】カード蓋を構成する材料の厚み−透過率の関係を表すグラフである。
【図１４】（ａ）は蓋構造の正面図であり、（ｂ）は正面図（ａ）中のε−ε断面図である。
【発明を実施するための形態】
【００１２】
以下、本発明の実施の形態について、添付図面を参照して詳細に説明する。ここでは、本実施形態に係る蓋体構造を、電子機器の一例である撮像装置に適用した場合を取り上げることとする。
【００１３】
＜撮像装置の全体構成＞
図１及び図２はそれぞれ、本実施形態に係る撮像装置の斜視図である。図１に示されるように、撮像装置に対して互いに直交する、第１の方向であるＸ方向、第２の方向であるＹ方向及び第３の方向であるＺ方向の三次元直交座標系を定める。また、以下の説明において、図示する各要素について、図１に示すＺ方向側の面を「表面側」とし、この表面側の反対側の側面を「裏面側」というものとする。
【００１４】
撮像装置は、被写体を撮像するためのレンズや撮像した画像を電気信号に変換するセンサ等を含む筐体である本体部１と、撮像する画像や撮像した画像を表示するための表示装置２を備えている。撮像装置において、表示装置２は、ヒンジ部３によって、本体部１に対して図１に示す開状態と図２に示す閉状態との間で移動自在となっている。
【００１５】
また、撮像装置は、本体部１に電力を供給するバッテリ４と、本体部１の一面を成しており、表示装置２が閉状態にあるときに表示装置２と対向する面に配置される枠部材である外装カバー１０とを備えている。外装カバー１０の所定位置には開口部が形成されている。なお、外装カバー１０において開口部が設けられている一面は、Ｘ方向と略平行である。
【００１６】
撮像装置の本体部１は、撮像データを記憶するためのカード状の記憶媒体（以下「カード」という）をそれぞれ着脱可能（挿抜可能）な保持部材として２つのカード保持部（以下「カードスロット」という）を備える。これらのカード及びカードスロットについては、後に図３及び図４を参照して詳細に説明する。図１に示される状態において、各カードスロットには、外装カバー１０の開口部を通してカードを着脱（挿抜）することができるようになっている。
【００１７】
外装カバー１０には、カードスロットを保護するためにカードスロットを覆う第１の位置（閉位置）とカードの着脱のためにカードスロットを露出させる第２の位置（開位置）との間でスライド移動が可能な蓋体として、カード蓋１１が設けられている。
【００１８】
ユーザが本実施形態に係る撮像装置を用いて撮像を行う場合、例えば、ユーザは、バッテリ４を本体部１に装着して本体部１に電力が供給される状態とし、本体部１を把持し、図１に示されるように表示装置２の表示面を視認可能な開状態にセットする。こうして、ユーザは、撮影画像を確認しながら撮影を行うことが可能となる。撮影終了後には、ユーザは、図２に示されるように、表示装置２を閉状態にセットすることにより、表示装置２の表示面を保護することができる。
【００１９】
仮に、外装カバー１０の開口部１０ａを覆うカード蓋が、表示装置２側に突出させることで開口部を蓋開状態とする構造であると、ユーザは、カード蓋によって開口部が蓋閉状態となっていないことに気付かずに表示装置２を収納してしまう虞がある。この場合、表示装置２の表示面とカード蓋とが接触して、表示装置２の表示面が損傷してしまうという問題が生じる。
【００２０】
そこで、本実施形態に係る撮像装置では、この問題を回避するために、カード蓋１１が閉位置において外装カバー１０から表示装置２側へ突出しない蓋構造が採用されている。また、カード蓋１１の閉位置から開位置への移動は、カード蓋１１を外装カバー１０の外観面と略平行な方向であるＸ方向において直線的にスライドさせることによって行うようになっている。これにより、カード蓋１１が開位置においても外装カバー１０から表示装置２側へ突出しない蓋構造となっている。
【００２１】
＜蓋構造の概略＞
次に、このカード蓋１１周りの蓋構造について説明する。
【００２２】
図３及び図４はそれぞれ、本実施形態に係る撮像装置が備える蓋構造の正面図である。外装カバー１０は、外装カバー１０の一面を貫通する開口部１０ａを有している。
【００２３】
カード蓋１１は、開口部１０ａを覆う閉位置と開口部１０ａを露出させる開位置との間でスライド移動が可能であり、スライド方向がＸ方向となっている。図３には、カード蓋１１が閉位置にあって、開口部１０ａが覆われた蓋閉状態が示されており、図４には、カード蓋１１が開位置にあって、開口部１０ａが開口した蓋開状態が示されている。
【００２４】
本体部１はカード１６ａ，１６ｂをそれぞれ保持するカードスロット１４ａ，１４ｂを備えている。外装カバー１０の開口部１０ａが蓋開状態にあるときに、この開口部１０ａを通して、カードスロット１４ａ，１４ｂに対してカード１６ａ，１６ｂを着脱することができる。なお、カードスロット１４ａ，１４ｂはそれぞれ、カード１６ａ，１６ｂの挿抜操作時に邪魔にならない程度に、所定の距離を保って並列に配置されている。
【００２５】
カードスロット１４ａにカード１６ａが装着されているときに、閉位置にあるカード蓋１１においてカード位置が投影される範囲には凹座１１ａが形成されている。また、カードスロット１４ｂにカード１６ｂが装着されているときに、閉位置にあるカード蓋１１においてカード位置が投影される範囲には凹座１１ｂが形成されている。
【００２６】
開口部１０ａの奥行き方向には、外装カバー１０の裏面側に締結されたカード蓋ホルダ１２が設けられている。カード蓋ホルダ１２には、カードスロット１４ａ，１４ｂの各カード挿抜部を露出させる開口部１２ａ，１２ｂが形成されており、カードスロット１４ａ，１４ｂのカード挿抜部はそれぞれ、開口部１２ａ，１２ｂに嵌め込まれる。
【００２７】
カード蓋１１は、光（可視光）透過性を有する材料で構成されている。前述の通り、カード蓋１１においてカード１６ａ，１６ｂがそれぞれ投影される範囲には凹座１１ａ，１１ｂが形成されており、これら凹座１１ａ，１１ｂは、蓋体１１における他の部位よりも薄肉な薄肉部となっている。
【００２８】
本実施形態に係る撮像装置では、図３に示されるように、外装カバー１０の開口部１０ａが蓋閉状態であっても、凹座１１ａ，１１ｂを通して、カード１６ａ，１６ｂのシルエットを外部から視認可能となっている。一方、凹座１１ａ，１１ｂ以外の部位を介して開口部１０ａの内側を視認することはできないように、凹座１１ａ，１１ｂとそれ以外の部位との厚さを変えることで、光透過率が制御されている。このようなカード蓋１１の光学的特性については、後に詳細に説明する。
【００２９】
カード蓋１１は、第１の弾性部材であるトーションバネ１３によって付勢されている。このトーションバネ１３の詳細な構成については、後に説明する。
【００３０】
＜カード蓋１１による開口部１０ａの開閉とカード１６ａ，１６ｂの挿抜＞
今日、カード（記憶媒体）の種類に依っては、データ記録中や読み出し中等、撮像装置のデータ処理部がカードにアクセスしている最中にカードの抜去が行われると、カードに記録されているデータが破損されてしまう可能性のあることが知られている。そのため、撮像装置のデータ処理部のカード１６ａ，１６ｂへのアクセス中には、ユーザがカード１６ａ，１６ｂの挿抜を行うことができないカード挿抜構造とすることが好ましい。
【００３１】
本実施形態に係る撮像装置では、図３に示されるように、カード蓋１１が外装カバー１０の開口部１０ａを覆っている蓋閉状態では、ユーザはカード１６ａ，１６ｂの挿抜操作を行うことはできない。そこで、例えば、開口部１０ａがカード蓋１１によって閉じられていることが不図示の検知手段によって検知されている場合に、撮像装置のデータ処理部によるカード１６ａ，１６ｂへのアクセスが許可される構成が採られる。なお、カード蓋１１が開口部１０ａを覆うことで、開口部１０ａ内に配置されたカードスロット１４ａ，１４ｂに、外部からゴミや埃等が進入することを防止することができる。
【００３２】
一方、図４に示されるように、外装カバー１０の開口部１０ａが開口した蓋開状態では、ユーザはカード１６ａ，１６ｂの挿抜操作を行うことできる。そこで、例えば、開口部１０ａの開口（つまり、カード蓋１１が完全に開口部１０ａを覆っていないこと）を不図示の検知手段が検知した場合には、撮像装置のデータ処理部によるカード１６ａ，１６ｂへのアクセスを禁止する構成が採られる。これにより、カード１６ａ，１６ｂのデータ破損を防止することができる。
【００３３】
なお、本実施形態では、カードスロット１４ａ，１４ｂとして、プッシュイン・プッシュイジェクト方式のカードスロットを採用することができる。この場合、例えば、カード１６ａの挿入時には、ユーザがカード１６ａをカードスロット１４ａに押し込むことで、カード１６ａは装着ロックされ、抜去時はカード１６ａの端面の中心付近をプッシュするだけでロックが外れ、カード１６ａがイジェクトされる。
【００３４】
＜カード蓋１１の機械的構造（形状）＞
図５（ａ）はカード蓋１１の詳細な機械的構造を示す斜視図であり、図５（ｂ）は斜視図（ａ）中の部位Ｍの拡大斜視図であり、図５（ｃ）は斜視図（ａ）中の部位Ｎの拡大斜視図である。なお、図５の各図では、カード蓋１１の全体構成は明らかにするために、裏面を透かした状態で示している。
【００３５】
図５（ａ），（ｂ）に示されるように、カード蓋１１のＹ方向上側には、カード蓋ホルダ１２に配される後述の摺動リブと外装カバー１０に配される後述の摺動リブとの間で摺動し、カード蓋１１のＺ方向を規制する上側Ｚ摺動ボス１１ｃが形成されている。図５（ａ），（ｃ）に示されるように、カード蓋１１のＹ方向下側には、カード蓋ホルダ１２に配される後述の摺動リブと外装カバー１０に配される後述の摺動リブと間で摺動し、カード蓋１１のＺ方向を規制する下側Ｚ摺動ボス１１ｄが形成されている。
【００３６】
カード蓋１１において、上側Ｚ摺動ボス１１ｃの直下には、カード蓋ホルダ１２に設けられた摺動リブ（後述する）の内側の摺動面に挟まれ、カード蓋１１のＹ方向を規制する上側Ｙ摺動リブ１１ｇが設けられている。下側Ｚ摺動ボス１１ｄの直上には、カード蓋ホルダ１２に設けられた摺動リブ（後述する）の内側の摺動面に挟まれて、カード蓋１１のＹ方向を規制する下側Ｙ摺動リブ１１ｈが設けられている。
【００３７】
また、カード蓋１１は、ユーザがカード蓋１１を操作する際の操作部１１ｅと、カード蓋１１の裏面側に配置され、トーションバネ１３の一端を係止する可動側係止部１１ｆを有する。
【００３８】
＜カード蓋１１の付勢構造及び開閉動作＞
《カード蓋１１の付勢構造の概要》
次に、本実施形態に係るカード蓋１１の開閉動作及びカード蓋１１の付勢構造について説明する。
【００３９】
図６は、カード蓋１１が閉位置にあるときのカード蓋１１周りの構造を示す斜視図であり、図７は、カード蓋１１が閉位置にあるときのカード蓋１１周りの構造を示す正面図である。また、図８は、カード蓋１１が閉状態にあるときのカード蓋１１周りの構造をカード蓋１１の裏面側から見たときの斜視図である。
【００４０】
なお、図６では、外装カバー１０の図示を省略しており、構造の理解を容易にするために、カード蓋１１を透かした状態で図示している（図７及び後に参照する図１０についても同様とする）。また、図６に示す三次元直交座標のＸ方向，Ｙ方向及びＺ方向は、図１に示したＸ方向，Ｙ方向及びＺ方向と同じである。図８では、外装カバー１０及びカード蓋１１及びトーションバネ１３及び第２の弾性部材であるスポンジ部材１７ｂのみを図示している。
【００４１】
図６に示されるように、カード蓋ホルダ１２の、Ｙ方向上側にはホルダ上側摺動リブ１２ｃが、Ｙ方向下側にはホルダ下側摺動リブ１２ｄが、裏面側にはトーションバネ１３の一端を係止する固定側係止部１２ｆが、それぞれ配設されている。また、カード蓋ホルダ１２のＹ方向上側には、カード蓋１１の一側面（Ｙ方向上側側面）に設けられた上側Ｚ摺動ボス１１ｃをＺ方向に付勢する第３の弾性部材であるスポンジ部材１７ａが配設されている。なお、第２の弾性部材であるスポンジ部材１７ｂについては、図８を参照して後に説明する。
【００４２】
なお、本体部１（図１参照）は、カードスロット１４ａ，１４ｂを実装し、カードスロット１４ａ，１４ｂを介して入出力されるカード１６ａ，１６ｂの記録情報を図示しないデータ処理部と通信するカード基板１５ａ，１５ｂを備えている。カード基板１５ａ，１５ｂは、本体部１の所定位置に固定されている。
【００４３】
図７に示されるように、トーションバネ１３の一端であるバネ端１３ａは、円形状に形成されて、可動側係止部１１ｆに係止されている。トーションバネ１３の他端であるバネ端１３ｂは、円形状に形成されて、固定側係止部１２ｆに係止されている。カード蓋ホルダ１２の表面側には凹形状のゲート部１２ｇが形成されている。
【００４４】
図７に示されるように、カード蓋１１の上側Ｙ摺動リブ１１ｇと下側Ｙ摺動リブ１１ｈとの間の幅寸法を幅Ｓとし、カード蓋ホルダ１２のホルダ上側摺動リブ１２ｃのＹ方向下側側面とホルダ下側摺動リブ１２ｄのＹ方向上側側面との間の幅寸法を幅Ｔとする。
【００４５】
図８に示されるように、外装カバー１０は、外装カバー１０の裏面側に突出する方向に立てられた立壁部である閉ストッパー部１０ｂと、外装カバー１０の裏面側に突出する方向にＬ字状に立てられたＬ字立壁部１０ｃとを備えている。また、外装カバー１０の裏面側のＹ方向上側には外装上側摺動リブ１０ｄが、外装カバー１０の裏面側のＹ方向下側には外装下側摺動リブ１０ｅが、それぞれ配設されている。
【００４６】
外装カバー１０裏面側のＹ方向下側には、カード蓋１１の一側面（Ｙ方向下側側面）に設けられた下側Ｚ摺動ボス１１ｄをＹ方向に付勢するスポンジ部材１７ｂが配設されている。
【００４７】
《蓋構造におけるＸ方向の付勢構造》
トーションバネ１３は、バネが開く方向にチャージされて組み込まれている。前述の通り、トーションバネ１３のバネ端１３ａはカード蓋１１の可動側係止部１１ｆに係止され、バネ端１３ｂは固定側係止部１２ｆに係止されている。そのため、外装カバー１０に対してＸ方向でスライド移動が可能なカード蓋１１は、図７に示した矢印Ｆの方向（カード蓋１１を閉じる方向（つまり、図６に示されるＸ方向の逆方向））に付勢される。
【００４８】
また、図８に示されるように、カード蓋１１は、図７に示された矢印Ｆの方向に付勢された状態で閉ストッパー部１０ｂに当接して閉位置で保持される。そのため、外装カバー１０の開口部１０ａが蓋閉状態にあるときに、Ｘ方向において、カード蓋１１にガタの無い状態が実現されている。
【００４９】
《蓋構造におけるＹ方向とＺ方向における付勢構造》
スポンジ部材１７ａは、例えば、スポンジ部材１７ａの片面に両面テープを貼り付けることで、カード蓋ホルダ１２表面側のＹ方向上側に貼り付けられて、固定される。スポンジ部材１７ａは、カード蓋１１が閉位置にあるときに、カード蓋１１の上側Ｚ摺動ボス１１ｃをＺ方向に向かってチャージし、カード蓋１１をＺ方向に付勢する。このとき、実際にチャージされる部位は、上側Ｚ摺動ボス１１ｃの一部であるため、後に図９を参照して説明する通り、カード蓋１１をスライド移動させる際のスポンジ部材１７ａのチャージによる摺動抵抗を少なくすることが可能になっている。
【００５０】
スポンジ部材１７ｂは、例えば、スポンジ部材１７ｂの片面に両面テープを貼り付けることで、外装カバー１０裏面側のＹ方向下側に位置するＬ字立壁部１０ｃに沿って貼り付けられて、略Ｌ字状に固定される。カード蓋１１が閉位置にあるときに、スポンジ部材１７ｂはカード蓋１１の下側Ｚ摺動ボス１１ｄの先端部をＹ方向に向かってチャージし、カード蓋１１をＹ方向に付勢する。このとき、実際にチャージされる部位は、下側Ｚ摺動ボス１１ｄの先端部のみであるため、後に図９を参照して説明する通り、カード蓋１１をスライド移動させる際のスポンジ部材１７ｂのチャージによる摺動抵抗を少なくすることが可能になっている。
【００５１】
続いて、Ｙ方向とＺ方向における蓋カバー１０の位置規制及び付勢構造について、更に詳細に説明する。
【００５２】
図９（ａ）は、カード蓋１１が閉位置にあるときのカード蓋１１周りの正面図であり、図９（ｂ）は、図９（ａ）に示されるα−α断面図である。図９（ｃ）は、図９（ｂ）に示される領域βの拡大断面図であり、図９（ｄ）は、図９（ｂ）に示される領域γの拡大断面図である。
【００５３】
なお、図９（ａ）〜（ｄ）では、図示を簡略化するため、外装カバー１０、カード蓋１１、カード蓋ホルダ１２、スポンジ部材１７ａ及びスポンジ部材１７ｂのみを図示している。また、図９（ａ）は、実質的に図３と同じであるため、図９（ａ）では符号の記載を省略している。
【００５４】
図９（ａ），（ｂ）には、カード蓋１１が、Ｙ方向及びＺ方向において付勢されることで、その位置が規制された状態が示されている。図９（ａ）では、カード蓋１１は閉位置にある（つまり、外装カバー１０の開口部１０ａは蓋閉状態となっている）。
【００５５】
図９（ｂ）に示される幅Ｓ及び幅Ｔはそれぞれ、図７に示した幅Ｓ及び幅Ｔと同じである。すなわち、カード蓋１１の上側Ｙ摺動リブ１１ｇと下側Ｙ摺動リブ１１ｈの間の幅寸法が幅Ｓであり、カード蓋ホルダ１２のホルダ上側摺動リブ１２ｃのＹ方向下側側面とホルダ下側摺動リブ１２ｄのＹ方向上側側面と間の幅寸法が幅Ｔである。
【００５６】
カード蓋１１は、図９（ｂ）に示されるように、幅Ｓ及び幅ＴによってＹ方向での移動を制限されているが、幅Ｓは幅Ｔよりも小さく設定されている。そのため、カード蓋１１は、計算上は、「幅Ｔ−幅Ｓ」の間隙分だけ、Ｙ方向にガタを持つこととなる。なお、仮に、この寸法関係が逆転してしまった場合には、カード蓋１１はＹ方向で拘束されてしまうため、Ｘ方向でのスライド移動も不可能となってしまう。
【００５７】
図９（ｃ）に示されるように、カード蓋１１のＹ方向上側では、カード蓋１１の上側Ｚ摺動ボス１１ｃが、外装カバー１０の外装上側摺動リブ１０ｄとカード蓋ホルダ１２のホルダ上側摺動リブ１２ｃとの間に配置されている。また、図９（ｄ）に示されるように、カード蓋１１のＹ方向下側では、カード蓋１１の下側Ｚ摺動ボス１１ｄが、外装カバー１０の外装下側摺動リブ１０ｅとカード蓋ホルダ１２のホルダ下側摺動リブ１２ｄとの間に配置されている。こうして、カード蓋１１のＺ方向での移動が規制されている。
【００５８】
ここで、カード蓋１１の上側において、カード蓋１１の上側Ｚ摺動ボス１１ｃの幅寸法及び下側Ｚ摺動ボス１１ｄの幅寸法は、共に、幅Ｖで同じである。また、外装上側摺動リブ１０ｄとホルダ上側摺動リブ１２ｃとによって作られるＺ方向の幅寸法、及び、外装下側摺動リブ１０ｅとホルダ下側摺動リブ１２ｄとによって作られるＺ方向の幅寸法は、幅Ｗで同じである。
【００５９】
そして、幅Ｖは幅Ｗより小さく設定される。これにより、「幅Ｗ−幅Ｖ」の分だけ、カード蓋１１は、Ｚ方向にガタを持つこととなる。なお、仮に、この寸法関係が逆転してしまった場合には、カード蓋１１は、Ｚ方向で拘束されてしまうために、Ｘ方向でのスライド移動も不可能となってしまう。
【００６０】
スポンジ部材１７ａ，１７ｂはそれぞれ、このような寸法設計に起因するＹ方向，Ｚ方向のガタを無くす。
【００６１】
図９（ｃ）において、スポンジ部材１７ａのＺ方向側に隣接して描かれている領域Δ１は、スポンジ部材１７ａが、カード蓋１１の上側Ｚ摺動ボス１１ｃをチャージしている範囲を示している。実際には、スポンジ部材１７ａは、領域Δ１の分だけチャージされ、Ｚ方向において圧縮されることによって、上側Ｚ摺動ボス１１ｃをＺ方向（矢印Ｇの方向）へ押圧している。
【００６２】
こうして、上側Ｚ摺動ボス１１ｃが、Ｚ方向のガタの分だけＺ方向（矢印Ｇの方向）に寄せられて、外装上側摺動リブ１０ｄに当接することで、カード蓋１１のＺ方向ガタを無くしている。なお、下側Ｚ摺動ボス１１ｄもまたＺ方向のガタの分だけＺ方向に寄せられて、外装下側摺動リブ１０ｅに当接する。これによっても、カード蓋１１のＺ方向におけるガタを無くしている（図９（ｄ）参照）。
【００６３】
図９（ｄ）において、このスポンジ部材１７ｂのＹ方向側に隣接して描かれている領域Δ２は、スポンジ部材１７ｂが、カード蓋１１の下側Ｚ摺動ボス１１ｄをチャージしている範囲を示している。実際には、スポンジ部材１７ｂは、領域Δ２の分だけチャージされ、Ｙ方向において圧縮されることによって、下側Ｚ摺動ボス１１ｄをＹ方向（矢印Ｈの方向）へ押圧している。
【００６４】
こうして、下側Ｚ摺動ボス１１ｄがＹ方向のガタの分だけＹ方向（矢印Ｈの方向）に寄せられることで、カード蓋１１の上側Ｙ摺動リブ１１ｇが、カード蓋ホルダ１２のホルダ上側摺動リブ１２ｃのＹ方向下側側面に当接する（図９（ｃ）参照）。これにより、カード蓋１１のＹ方向でのガタを無くしている。
【００６５】
《カード蓋１１の開閉》
図１０は、カード蓋１１が開位置にあるとき、つまり、外装カバー１０の開口部１０ａが蓋開状態にあるときの、カード蓋１１周りの構造を示す正面図である。但し、図１０では、外装カバー１０を示さずに、カード蓋１１をＸ方向の開方向（矢印Ｊの方向）にスライド移動させた状態が示されている。
【００６６】
ユーザがカード蓋１１を開方向（矢印Ｊの方向）にスライド移動させる場合、カード蓋１１の操作部１１ｅを操作してカード蓋１１を開位置へとスライド移動させる。このとき、トーションバネ１３のバネ端１３ａがカード蓋１１の可動側係止部１１ｆに係止されているため、カード蓋１１の移動に伴って、トーションバネ１３のバネ部（旋回部）が開方向へ移動する。
【００６７】
一方、トーションバネ１３の他端であるバネ端１３ｂが外装カバー１０に固定されたカード蓋ホルダ１２の固定側係止部１２ｆに係止されているため、カード蓋１１をスライド移動させても、バネ端１３ｂの位置は変化しない。
【００６８】
カード蓋１１をスライド移動させて、トーションバネ１３のバネ端１３ａが、固定側係止部１２ｆに係止されたトーションバネ１３のバネ端１３ｂの位置より開方向に突出する位置まで移動させると、トーションバネ１３の付勢方向が反転する。これは、バネ端１３ｂが固定側係止部１２ｆに係止されているためであり、トーションバネ１３の付勢方向が反転した場合、カード蓋１１はカード蓋１１の開方向である矢印Ｊの方向に付勢されることとなる。
【００６９】
ここで、カード蓋ホルダ１２のホルダ上側摺動リブ１２ｃの一端には、カード蓋ホルダ１２の表面側に突出する開ストッパー部１２ｅが設けられており、カード蓋１１が開方向へ移動すると、上側Ｚ摺動ボス１１ｃがこの開ストッパー部１２ｅに当接する。このとき、カード蓋１１は開方向にトーションバネ１３によって付勢されているため、カード蓋１１は開位置で保持されることとなる。
【００７０】
図１０に示されるように、カード蓋１１が開位置にあるときに、下側Ｚ摺動ボス１１ｄがスポンジ部材１７ｂから脱落する。
【００７１】
仮に、スポンジ部材１７ｂがＸ方向に一直線に貼り付けられていると、カード蓋１１を開位置から閉位置に移動させる際に、下側Ｚ摺動ボス１１ｄがスポンジ部材１７ｂのＸ方向端に接触して、スポンジ部材１７ｂがＬ字立壁部１０ｃから剥離してしまう虞がある。
【００７２】
本実施形態では、スポンジ部材１７ｂを外装カバー１０のＬ字立壁部１０ｃに沿って略Ｌ字状に折り曲げて貼り付けているため、カード蓋１１が開位置から閉位置へ移動してくる際に、下側Ｚ摺動ボス１１ｄは、スポンジ部材１７ｂの折り曲げ部と接触する。これにより、スポンジ部材１７ｂのＬ字立壁部１０ｃからの剥離を防止している。
【００７３】
《Ｘ方向、Ｙ方向及びＺ方向での付勢位置の関係》
図１１は、カード蓋１１が閉位置にあるときのカード蓋１１周りの構造を、外装カバー１０を透かした状態で示す正面図であり、カード蓋１１をＸ方向、Ｙ方向及びＺ方向にそれぞれ付勢する部材の位置関係を示している。
【００７４】
図１１に示されるように、カード蓋１１は、Ｘ方向では、トーションバネ１３で付勢されている。また、カード蓋１１は、Ｚ方向では、Ｙ方向上側に配置されたスポンジ部材１７ａによって付勢され、Ｙ方向では、カード蓋１１のＹ方向下側に配置されたスポンジ部材１７ｂによって付勢されていることがわかる。このように、カード蓋１１を付勢する要素を分散配置することにより、カード蓋１１を偏り無く保持している。
【００７５】
《カード蓋１１への振動伝播抑制》
図１２は、外装カバー１０周りの構造を外装カバー１０の裏面側から見た斜視図である。撮像装置は、本体部１の内部の音声出力基板（図示せず）と電気的に接続され、音声を出力可能なスピーカ２１と、スピーカ２１を外装カバー１０に当接付勢し外装カバー１０にビス締結されるスピーカホルダ２２を備えている。スピーカホルダ２２はビス２３ａによって外装カバー１０に締結されており、スピーカホルダ２２とカード蓋ホルダ１２は、ビス２３ｂ，２３ｃによって外装カバー１０に共締めされている。
【００７６】
スピーカ２１は、外装カバー１０の表面側に備えられた不図示の振動膜が振動することによって音声を出力する。スピーカホルダ２２は、ビス２３ａによって外装カバー１０に締結されることで、スピーカ２１の裏面側に当接してスピーカ２１を付勢し、スピーカ２１を外装カバー１０に対して固定させている。
【００７７】
スピーカ２１が振動膜を振動させ音声を出力している際、スピーカ２１の振動は、外装カバー１０及びスピーカホルダ２２に伝播する。特に、スピーカ２１が、エネルギー量の大きい大音量を出力している場合、伝播する振動も大きくなる。また、スピーカホルダ２２は、ビス２３ｂ，２３ｃによってカード蓋ホルダ１２と共締めされているため、カード蓋ホルダ１２に振動が伝播するものと考えられる。
【００７８】
また、前述の通り、カード蓋１１は、外装カバー１０の外装上側摺動リブ１０ｄ及び外装下側摺動リブ１０ｅ、並びに、カード蓋ホルダ１２のホルダ上側摺動リブ１２ｃ及びホルダ下側摺動リブ１２ｄに近接した位置に配置される。そのため、カード蓋１１にスピーカ２１の振動が伝播してビビリ音が発生してしまうことを防止する必要がある。
【００７９】
本実施形態では、カード蓋１１を移動可能に構成するため、カード蓋１１が外装カバー１０に固定されていない。このようにカード蓋１１が外装カバー１０等に対して浮いた状態にあると、カード蓋１１によるビビリ音が発生しやすくなると考えられる。この現象は、カード蓋１１がトーションバネ１３でＸ方向に付勢されている場合でも起こり得る、特に、カード蓋１１のＹ方向とＺ方向でのガタによって、カード蓋１１が外装カバー１０及びカード蓋ホルダ１２と不安定な接触の仕方をしている場合に起こりやすい。
【００８０】
本実施形態に係るカード蓋１１の付勢構造では、カード蓋１１は、Ｘ方向ではトーションバネ１３によって、Ｙ方向ではスポンジ部材１７ｂによって、Ｚ方向ではスポンジ部材１７ａによって付勢され、外装カバー１０及びカード蓋ホルダ１２に押し当てられている。こうして、カード蓋１１は、外装カバー１０及びカード蓋ホルダ１２と安定して当接しているため、ビビリ音の発生を防止することができる。
【００８１】
《Ｘ方向、Ｙ方向及びＺ方向での付勢の効果》
以上、説明したように、カード蓋１１は、Ｘ方向ではトーションバネ１３によって、Ｙ方向でカード蓋１１のＹ方向下側に配置されたスポンジ部材１７ｂによって、Ｚ方向ではカード蓋１１のＹ方向上側に配置されたスポンジ部材１７ａによって、それぞれ付勢されている。
【００８２】
このような構成により、Ｘ方向、Ｙ方向及びＺ方向の３方向でガタ無くカード蓋１１を保持することができ、しかもこのときに、カード蓋１１を各方向に偏ることなく、バランスよく保持することができる。また、スポンジ部材１７ａをカード蓋ホルダ１２へ、スポンジ部材１７ｂを外装カバー１０へそれぞれ貼り付けた後に、カード蓋１１、カード蓋ホルダ１２及びトーションバネ１３を外装カバー１０に組み込むことができるため、撮像装置の組立を容易に行うことができる。更に、カード蓋１１のガタが抑えられることで、品位を向上させることができると共に、外装カバー１０やカード蓋ホルダ１２等からカード蓋１１に振動が伝播しても、ビビリ音の発生を防止することができる。
【００８３】
＜カード蓋１１の光学的性質＞
次に、カード蓋１１の光学的性質について説明する。
【００８４】
先に、図５を参照して説明したように、カード蓋１１は、光透過性を有する材料で形成されている。図１３は、カード蓋１１を構成する材料の厚み−透過率の関係を表すグラフであり、ここでは、カード蓋１１はポリカーボネート（ＰＣ）で成形されているものとする。そのため、図１３には、一般的なポリカードネート（ＰＣ）の可視光域の所定波長における平行光透過率（％）と厚み（ｍｍ）の関係が示されている。
【００８５】
光透過性を有する材料で成形された成形品の光透過率は、成形品の厚さに依存して変化することが知られている。光透過率と厚さとの関係は、Ｌａｍｂｅｒｔの法則として広く知られており、本実施形態では、光が通過する媒体であるカード蓋１１を通して透過する光量は、カード蓋１１の単位厚みあたりの透過率に対して厚みのベキ乗に従って減衰する。なお、光透過率は材料によって異なるため、透視できる部位と透視できない（部位又は透視が困難な部位）との肉厚差を、適宜、最適化することが必要となる。
【００８６】
《カード蓋１１とカード１６ａ，１６ｂの位置関係》
図１４（ａ）は蓋構造を示す正面図であって、先に示した図３と実質的に同じであり、図１４（ｂ）は、図１４（ａ）中のε−ε断面図であり、カード蓋１１とカード１６ａ，１６との位置関係を示している。なお、図１４（ａ）は、実質的に図３と同じであるため、図１４（ａ）では符号の記載を省略している。
【００８７】
図３を参照して説明した通り、また、図１４（ａ），（ｂ）に示されるように、閉位置にあるカード蓋１１において、カード１６ａが投影される範囲には凹座１１ａが、カード１６ｂが投影される範囲には凹座１１ｂが、それぞれ形成されている。
【００８８】
凹座１１ａ，１１ｂは、外装カバー１０の開口部１０ａの内側を視認することができるように肉厚の薄い薄肉部となっており、その他の部位（薄肉部以外の部位）よりも高い光透過率を有している。そのため、カード蓋１１が閉位置にあって、外装カバー１０の開口部１０ａが蓋閉状態にあっても、凹座１１ａ，１１ｂを通して、カードスロット１４ａ，１４ｂにカード１６ａ，１６ｂが装着されているか否かを簡単に視認することができる。
【００８９】
なお、本実施形態では、カード１６ａ，１６ｂの全体を視認可能となるように、蓋体１１に凹座１１ａ，１１ｂを設けたが、カード１６ａ，１６ｂの一部が視認可能となるように、蓋体１１に凹座を設けてもよい。
【００９０】
カード蓋１１において、凹座１１ａ，１１ｂ以外の部位は、外装カバー１０の開口部１０ａの内側を視認することができない、又は、視認することが困難な程度の光透過率となるように、凹座１１ａ，１１ｂよりも厚肉に成形されている。つまり、凹座１１ａ，１１ｂ以外の部位を介しての開口部１０ａの内側の視認は妨げられている。これにより、開口部１０ａの内側に設けられているトーションバネ１３のバネ端１３ａやカード蓋ホルダ１２のゲート部１２ｇ等の外部から視認させたくない部分を、確実に隠すことができる。
【００９１】
カード蓋１１において、外装カバー１０の開口部１０ａの内側の特に視認させたくない要素が投影される範囲については、部分的に肉厚を増して更に透過率を下げることによって、外部から見えないようにすることも好ましい。
【００９２】
図１４（ｂ）に示されるように、カード蓋１１の裏面側とカード１６ａ，１６ｂとは近接した位置にある。カード蓋１１とカード１６ａ，１６ｂを近接させることにより、外部の光源からカード蓋１１を介してカード１６ａ，１６ｂへと光が届く経路長を短く設定することができるため、カード１６ａ，１６ｂを更に透視しやすくすることができる。ここで、外部から視認させたくない外装カバー１０の開口部１０ａの内側の要素に関しては、それらをカード蓋１１の裏面側から奥行き方向に遠い位置に配置することにより、外部から見えないようにすることも好ましい。
【００９３】
なお、カード蓋１１とカード１６ａ，１６ｂが近接していることにより、カード１６ａ，１６ｂの装着状態において、カード蓋１１は、撮像装置の落下や衝撃等によるカード１６ａ，１６ｂの抜け止め防止の役割も果たす。また、カード蓋１１の凹座１１ａ，１１ｂをカード蓋１１とカード１６ａ，１６ｂとが対向する面の反対側の面に設けることにより、カード蓋１１とカード１６ａ，１６ｂとは、カード蓋１１のスライド移動中も一定の距離を保ち続ける。よって、カード蓋１１のスライド移動中に、カード蓋１１がカード１６ａ，１６ｂに引っ掛かることなく、スムーズにスライド移動を行うことができる。
【００９４】
《カード蓋１１の光学的性質によって得られる効果》
本実施形態によれば、カード蓋１１が閉位置にあるときに、視認可能なことが望まれる部位（カード１６ａ，１６ｂ）は凹座（１１ａ，１１ｂ）を通して容易に視認することができ、その他の視認させたく部位は透視できない構造を容易に実現することができる。
【００９５】
また、透視させたい部位に透明な別部材を配設する構造や、カード蓋全体を塗装した後に透視させたい部位の塗装を除去する構造を有する従来のカード蓋では、製造コストが高くなる問題が生じる。しかし、本実施形態に係るカード蓋１１は、例えば、ポリカーボネート等の透光性樹脂を用いて、一体的に製造することができるため、製造コストを安価に抑えることができるという利点がある。
【００９６】
＜その他の実施形態＞
以上、本発明の実施形態について説明したが、本発明は上記の実施形態に限られるものではない。本発明の要旨を逸脱しない範囲の様々な形態も本発明に含まれ、上述の実施形態の一部を適宜組み合わせてもよい。
【符号の説明】
【００９７】
１      （撮像装置の）本体部
２      表示装置
３      ヒンジ部
４      バッテリ
１０    外装カバー
１０ｄ    外装上側摺動リブ
１０ｅ    外装下側摺動リブ
１１    カード蓋
１１ｃ    上側Ｚ摺動ボス
１１ｄ    下側Ｚ摺動ボス
１２    カード蓋ホルダ
１２ｃ    ホルダ上側摺動リブ
１２ｄ    ホルダ下側摺動リブ
１３    トーションバネ
１４ａ，１４ｂ    カードスロット
１５ａ，１５ｂ    カード基板
１６ａ，１６ｂ    カード
１７ａ，１７ｂ    スポンジ
２１    スピーカ
２２    スピーカホルダ
２３ａ，２３ｂ，２３ｃ    ビス
【図１】
0005523089.tif 000002
【図２】
0005523089.tif 000003
【図３】
0005523089.tif 000004
【図４】
0005523089.tif 000005
【図５】
0005523089.tif 000006
【図６】
0005523089.tif 000007
【図７】
0005523089.tif 000008
【図８】
0005523089.tif 000009
【図９】
0005523089.tif 000010
【図１０】
0005523089.tif 000011
【図１１】
0005523089.tif 000012
【図１２】
0005523089.tif 000013
【図１３】
0005523089.tif 000014
【図１４】
0005523089.tif 000015